(57)【要約】【課題】  排泄があっても、厚みが薄く嵩張ることがない吸収体を備えた吸収性物品を提供する。【解決手段】  少なくとも肌当接面側に配置されるトップシートと、外面側に配置されるバックシートと、この両シート間に介在され、少なくとも非水溶性繊維により構成されている吸収体とにより物品本体が構成されて成る吸収性物品において、吸収体に水溶性繊維を配合する。【選択図】図３
2006110058.tif 000002
【特許請求の範囲】
【請求項１】
少なくとも肌当接面側に配置されるトップシートと、外面側に配置されるバックシートと、前記両シート間に介在され、少なくとも非水溶性繊維により構成されている吸収体とにより物品本体が構成されて成る吸収性物品において、前記吸収体に水溶性繊維を配合したことを特徴とする吸収性物品。
【請求項２】
前記吸収体に高吸水性樹脂が配合されていることを特徴とする請求項１に記載の吸収性物品。
【請求項３】
前記水溶性繊維は、溶解速度が１０ｇ／ｍｉｎ以上であることを特徴とする請求項１に記載の吸収性物品。
【請求項４】
前記吸収体は、前記水溶性繊維が２０％以上１００％未満配合されていることを特徴とする請求項１ないし請求項３のいずれかに記載の吸収性物品。
【請求項５】
前記吸収体を厚み方向に表層部と、中層部と、下層部とに分けた場合に、前記水溶性繊維が前記表層部に４０％以上７０％以下、前記中層部に３０％以上６０％以下、前記下層部に０％以上３０％以下配合されていることを特徴とする請求項１ないし請求項４のいずれかに記載の吸収性物品。
【請求項６】
前記水溶性繊維は、前記吸収体の長手方向における中央部に４０％以上１００％以下、両端部のそれぞれに０％以上３０％以下配合されていることを特徴とする請求項１ないし請求項５のいずれかに記載の吸収性物品。
【請求項７】
少なくとも肌当接面側に配置されるトップシートと、外面側に配置されるバックシートと、前記両シート間に介在され、少なくとも非水溶性繊維により構成されている吸収体とにより物品本体が構成されて成る吸収性物品において、前記吸収体の内部に少なくとも１枚、水溶性繊維が配合されているウェブ状のシートを間欠的に配設したことを特徴とする吸収性物品。
【請求項８】
少なくとも肌当接面側に配置されるトップシートと、外面側に配置されるバックシートと、前記両シート間に介在され、少なくとも非水溶性繊維により構成されている吸収体とにより物品本体が構成されて成る吸収性物品において、前記吸収体の肌当接面側及び／又は下面側に水溶性繊維が配合されているウェブ状のシートを設けたことを特徴とする吸収性物品。
【請求項９】
前記吸収体の肌当接面側及び／又は下面側に水溶性繊維が配合されているウェブ状のシートを設けたことを特徴とする請求項７に記載の吸収性物品。
【請求項１０】
前記吸収体には、水溶性繊維及び／又は高吸水性樹脂が配合されていることを特徴とする請求項７ないし請求項９のいずれかに記載の吸収性物品。
【請求項１１】
前記水溶性繊維は、溶解速度が１０ｇ／ｍｉｎ以上であることを特徴とする請求項７ないし請求項１０のいずれかに記載の吸収性物品。
【請求項１２】
前記吸収体は、前記水溶性繊維が２０％以上１００％未満配合されていることを特徴とする請求項１０又は請求項１１に記載の吸収性物品。
【請求項１３】
前記吸収体を厚み方向に表層部と、中層部と、下層部とに分けた場合に、前記水溶性繊維が前記表層部に４０％以上７０％以下、前記中層部に３０％以上６０％以下、前記下層部に０％以上３０％以下配合されていることを特徴とする請求項９ないし請求項１２のいずれかに記載の吸収性物品。
【請求項１４】
前記水溶性繊維は、前記吸収体の長手方向における中央部に４０％以上１００％以下、両端部のそれぞれに０％以上３０％以下配合されていることを特徴とする請求項９ないし請求項１３のいずれかに記載の吸収性物品。
【発明の詳細な説明】
【技術分野】
【０００１】
本発明は、使い捨て紙おむつ、使い捨て水着、尿取りパッド、生理用ナプキン等の吸収性物品に関し、さらに詳細には、嵩張らずに廃棄できると共に、装着時の見栄えも良い吸収性物品に関する。
【背景技術】
【０００２】
吸収性物品、例えば使い捨て紙おむつは、少なくとも肌当接面側に配置され、不織布等から成るトップシートと、外面側に配置され、ポリエチレン等のプラスチックシートや不織布、あるいはこれらの組み合わせから成るバックシートと、これらの両シート間に介在され、全体がティッシュ等の吸水紙で被覆された吸収体とにより、平面形状が砂時計形状に形成された紙おむつ本体が構成されている。
【０００３】
近年、このような紙おむつは持ち運びの便宜や装着感、さらには物流の効率化や省資源化等の観点から薄型化及びコンパクト化が求められており、特に構成物品の１つである吸収体の薄型化が求められている。しかし、吸収体の薄型化を進めると、同時に吸収体に使用される綿状パルプ等の非水溶性繊維の使用量を減らさなければならず、吸収体の体液吸収量が減少し、尿漏れ等が発生するという問題があった。
【０００４】
このような問題を解決するために、例えば特許文献１に示されるように非水溶性繊維中に高吸水性樹脂を５０〜９５％と高率配合した吸収体が使用された吸収性物品が提案されている。このように吸収体に高吸水性樹脂が高率配合されると、使用前における吸収体の厚みを薄くすることができ、吸収性物品の薄型化及びコンパクト化を実現することができるので、持ち運びや、物流の効率化等に優れるようになる。また使用前における吸収体の厚みを薄くしても、高吸水性樹脂は尿等の体液を多量に吸水するので、吸収体の体液吸収量を維持又は増加させることができる。
【０００５】
また、高吸水性樹脂は吸水するとゲル状となり、さらに一旦吸水したならば多少の圧力を加えても離水し難いので、高吸水性樹脂が高率配合された吸収体は体液保持性にも優れる。
【０００６】
しかし、高吸水性樹脂は、吸水すると自己体積の数倍から数千倍まで膨潤するという特性も有する。従って、高吸水性樹脂が高率配合された吸収体が紙おむつに使用されると、上述したような利点を有する反面、排泄があり、体液（特に尿や軟便等の水分）が高吸水性樹脂に吸水されると、高吸水性樹脂は膨潤し、吸収体の厚みが増すため、紙おむつの厚みが増し、嵩張るという問題があった。
【０００７】
このように吸収体の厚みが増し、嵩張ると、装着時、装着者の見た目がスッキリせず、見栄えが悪くなると共に、装着者にゴワゴワとした感じを与え、装着感を低下させるという問題があった。
【０００８】
また、吸収体が嵩張ると、廃棄時において、使用済みの紙おむつをコンパクトに折り畳むことができないため、ゴミを小さくすることができない。このため、特に老人ホーム、病院などの使用済みの紙おむつの廃棄数量が多い所では、使用済みの紙おむつを保管するための大きなスペースを確保する必要があった。
【０００９】
また、高吸水性樹脂が膨潤した分、吸収体内の高吸水性樹脂が占める割合が増加するので、吸収体内に空隙がなくなる。従って、体液の拡散性が低下し、体液の吸収速度が低下するので、吸収体の吸収能力が低下する。
【００１０】
さらにまた、膨潤した高吸水性樹脂は柔らかいので、圧力がかかると潰れ、近くの高吸水性樹脂同士が接触し（くっつき）、いわゆるゲルブロックを起こす可能性がある。吸収体内でゲルブロックが起こると、吸収体内の空隙の体積が小さくなるので、体液の拡散性が低下し、体液の吸収速度が低下し、吸収体の吸収能力が低下する。このため、体液がトップシート上に逆戻りしたり、あるいはトップシート上に保水してしまい、体液の漏れ等が生じるという問題もあった。
【００１１】
また、高吸水性樹脂は、単体で見ると体液を多量に吸水することができ、吸収体の体液吸収量を向上させることができるが、ある程度湿潤した状態でないと体液を吸水することができないため、体液の初期吸収速度が遅い。従って、通常、吸収体を構成する非水溶性繊維中に、例えば粒状紛、破砕粉、又はペレット状の形態で配合されているが、高吸水性樹脂が高率配合された吸収体は、必然的に非水溶性繊維の配合率が低くなるため、体液の初期吸収能力が低い。このため、トップシート上に体液が保水したり、あるいは体液がトップシート上に逆戻りするという問題が発生していた。
【特許文献１】特開２００３−１９０２１１号公報
【発明の開示】
【発明が解決しようとする課題】
【００１２】
本発明は、上述したような実情に鑑みてなされたもので、その目的とするところは、排泄があっても、厚みが薄く、嵩張ることがない吸収体を備えた吸収性物品を提供することにある。
【課題を解決するための手段】
【００１３】
本発明の上記目的は、少なくとも肌当接面側に配置されるトップシートと、外面側に配置されるバックシートと、前記両シート間に介在され、少なくとも非水溶性繊維により構成されている吸収体とにより物品本体が構成されて成る吸収性物品において、前記吸収体に水溶性繊維を配合したことを特徴とする吸収性物品を提供することによって、達成される。
【００１４】
また、本発明の上記目的は、前記吸収体に高吸水性樹脂が配合されていることを特徴とする吸収性物品を提供することによって、効果的に達成される。
【００１５】
また、本発明の上記目的は、前記水溶性繊維は、溶解速度が１０ｇ／ｍｉｎ以上であることを特徴とする吸収性物品を提供することによって、効果的に達成される。
【００１６】
また、本発明の上記目的は、前記吸収体は、前記水溶性繊維が２０％以上１００％未満配合されていることを特徴とする吸収性物品を提供することによって、より効果的に達成される。
【００１７】
また、本発明の上記目的は、前記吸収体を厚み方向に表層部と、中層部と、下層部とに分けた場合に、前記水溶性繊維が前記表層部に４０％以上７０％以下、前記中層部に３０％以上６０％以下、前記下層部に０％以上３０％以下配合されていることを特徴とする吸収性物品を提供することによって、より一層効果的に達成される。
【００１８】
さらにまた、本発明の上記目的は、前記水溶性繊維は、前記吸収体の長手方向における中央部に４０％以上１００％以下、両端部のそれぞれに０％以上３０％以下配合されていることを特徴とする吸収性物品を提供することによって、より一層効果的に達成される。
【００１９】
本発明の上記目的は、少なくとも肌当接面側に配置されるトップシートと、外面側に配置されるバックシートと、前記両シート間に介在され、少なくとも非水溶性繊維により構成されている吸収体とにより物品本体が構成されて成る吸収性物品において、前記吸収体の内部に少なくとも１枚、水溶性繊維が配合されているウェブ状のシートを間欠的に配設したことを特徴とする吸収性物品を提供することによって、達成される。
【００２０】
本発明の上記目的は、少なくとも肌当接面側に配置されるトップシートと、外面側に配置されるバックシートと、前記両シート間に介在され、少なくとも非水溶性繊維により構成されている吸収体とにより物品本体が構成されて成る吸収性物品において、前記吸収体の肌当接面側及び／又は下面側に水溶性繊維が配合されているウェブ状のシートを設けたことを特徴とする吸収性物品を提供することによって、達成される。
【００２１】
また、本発明の上記目的は、前記吸収体の肌当接面側及び／又は下面側に水溶性繊維が配合されているウェブ状のシートを設けたことを特徴とする吸収性物品を提供することによって、効果的に達成される。
【００２２】
また、本発明の上記目的は、前記吸収体には、水溶性繊維及び／又は高吸水性樹脂が配合されていることを特徴とする吸収性物品を提供することによって、より効果的に達成される。
【発明の効果】
【００２３】
本発明に係る吸収性物品によれば、吸収体に水溶性繊維を配合したので、排泄があり、体液が吸収体に吸収されると、水溶性繊維が溶解する。従って、排泄後の吸収体の体積を小さくすることができ、吸収体の厚みを薄く維持することができるので、排泄後であっても装着時の見た目がスッキリし、見栄えが良くなる。
【００２４】
また、排泄後であっても、吸収体の厚みを薄く維持することができるので、嵩張ることがなくなり、吸収性物品の廃棄時において、使用済みの吸収性物品をコンパクトに折り畳むことができ、ゴミを小さくすることができる。
【００２５】
また、水溶性繊維を配合した吸収体は、排泄により高吸水性樹脂が膨潤しても、排泄があった直後は、水溶性繊維が溶解した位置に空隙ができる。従って、吸収体内に空隙を維持することができるため、体液の拡散性が低下することがなく、吸収体の吸収能力の低下を防止することができる。
【００２６】
また、本発明で使用される水溶性繊維は、その溶解速度が１０ｇ／ｍｉｎ以上であるので、次の排尿時までには溶解している。
【００２７】
また、吸収体に水溶性繊維を２０％以上１００％未満配合することによって、排泄があり、体液が吸収体に吸収され、水溶性繊維が溶解して形成される空隙の体積を一定の大きさ以上とすることができるので、吸収体の厚みを確実に薄くすることができる。
【００２８】
また、吸収体を厚み方向に表層部と、中層部と、下層部との３つに分けた場合に、体液が通過する順に水溶性繊維の配合率を低くする、すなわち表層部により多くの水溶性繊維を配合することによって、吸収体の吸収能力をより向上させることができる。
【００２９】
また、吸収体の長手方向における中央部、すなわち排泄が集中する位置近傍により多くの水溶性繊維を配合することによって、吸収体の吸収能力をより一層向上させることができる。
【００３０】
本発明に係る吸収性物品によれば、吸収体の内部に水溶性繊維が配合されているウェブ状のシートを少なくとも１枚、間欠的に配設したので、排泄があり、体液がウェブ状のシートに吸収されると、ウェブ状のシートの水溶性繊維が溶解し、吸収体の体積が小さくなる。従って、吸収体の厚みが薄くなり、嵩張ることがなくなる。
【００３１】
本発明に係る吸収性物品によれば、水溶性繊維が配合されているウェブ状のシートを吸収体の肌当接面側及び／又は下面側に設けたので、排泄があり、体液がウェブ状のシートに吸収されると、水溶性繊維が溶解し、ウェブ状のシートの体積が小さくなる。従って、吸収性物品の厚みが薄くなり、嵩張ることがなくなる。
【００３２】
本発明に係る吸収性物品によれば、水溶性繊維が配合されているウェブ状のシートが内部に配設されている吸収体の肌当接面側及び／又は下面側に水溶性繊維が配合されているウェブ状のシートを設けることによって、吸収体の厚みをより薄くすることができ、より嵩張らなくなると共に、体液の拡散性が向上するので、吸収体の吸収能力を向上させることができる。
【発明を実施するための最良の形態】
【００３３】
以下、本発明に係る吸収性物品について、吸収性物品がテープ式の紙おむつである場合を例に図面を用いて詳細に説明する。なお、本発明は必ずしも以下の実施例に限定されるものではなく、特許請求の範囲を逸脱しない範囲において、その構成を適宜変更できるものであることはいうまでもない。
【００３４】
図１は、本発明に係るテープ式の紙おむつ（以下、「本紙おむつ」という。）１０を展開して肌当接面側から見た図であり、図２は、図１のＸ−Ｘ断面図である。なお、本紙おむつ１０は後述するように吸収体の構造を除くその他の構成は、上述した従来の紙おむつと実質的に同様である。
【００３５】
すなわち、本紙おむつ１０は、図示するように前述した従来の紙おむつと同様に、少なくとも肌当接面側に配置され、不織布等から成るトップシート１１と、外面側に配置され、ポリエチレン等のプラスチックシートや不織布、あるいはこれらの組み合わせから成るバックシート１２と、この両シート１１，１２間に介在され、クレープ紙等の吸水紙１３で全体が被覆されている吸収体１４とにより、平面形状が砂時計形状に形成されたおむつ本体１５が構成されている。なお、図示するように吸収体１４を吸水紙１３で被覆すると、吸収体１４に尿等の体液（以下、「体液」と言う。）を速やかに拡散させて、体液がトップシート１１へ逆戻りすることを防止することができるが、この吸水紙１３は適宜省略することができる。
【００３６】
なお、本紙おむつ１０は、トップシート１１と吸収体１４との間にセカンドシート１６が配設されており、また吸収体１４とバックシート１２との間に防水フィルム１７が配設されているが、このセカンドシート１６及び防水フィルム１７は適宜省略することができる。
【００３７】
また、吸収体１４の両側縁長手方向には、肌当接面側に設けられた不織布等から成る立体ギャザーシート１８と、その内側端縁に沿って配設された糸ゴム等から成る複数本の弾性伸縮部材１９とにより肌当接面側に起立する立体ギャザー１０ＢＳが形成されている。
【００３８】
さらにまた、おむつ本体１５の背部側位置１０ＢＰにおける左右の張り出し部、すなわち両サイドパネル部１０ＳＰの幅方向端部には、フックテープ２０を有するファスニングテープ２１が連結されて、止着手段２２が構成されている。なお、この止着手段２２は、おむつ本体１５の腹部側位置１０ＦＰに形成されても良い。
【００３９】
図３は、本発明の第１実施形態に係る使用前（排泄前）の吸収体１４の幅方向の断面図である。図示するように、本吸収体１４は、水溶性繊維２３と、非水溶性繊維２４と、高吸水性樹脂２５とにより構成されている。
【００４０】
水溶性繊維２３とは、水と接触して一定時間が経過するとゲル状又は液状に変化する繊維である。このような水溶性繊維２３としては、例えば澱粉、ナトリウムカルボキシメチルセルロースなどの天然水溶性繊維、ポリビニルアルコール、ポリアクリルアミド、カチオン性樹脂、ポリアクリル酸とその誘導体、ポリエチレンオキシド等の合成繊維等、公知の種々の繊維を用いることができる。これらの内、特にポリビニルアルコール繊維が用いられることが好ましい。なお、これらの水溶性繊維２３は単独で使用しても良いし、２種以上を混合して使用しても良い。
【００４１】
また、吸収体１４内における水溶性繊維２３の形状は、短繊維を熱融着したもの、あるいは接着剤を使用したり、機械的に絡めて接着したものであっても良いし、１本の長繊維が絡み合っているものであっても良く、またこれらの短繊維及び長繊維を混合しても良い。しかしながら、後述するように水溶性繊維２３が溶解して形成される空隙２６の体積を一定の大きさ以上とし、吸収体１４の吸収能力の低下を防止するためには、水溶性繊維２３は、長繊維の状態（フィラメントの状態）で吸収体１４内に存在するよりも、一定の大きさ以上の体積を持った短繊維の状態で存在する方が好ましい。
【００４２】
この水溶性繊維２３の体積は、粒径が４００μｍである高吸水性樹脂２５が１００倍膨潤したときの体積以上、すなわち３ｍｍ３以上であると、水溶性繊維２３が溶解することによって形成される空隙２６の体積を一定の大きさ以上とすることができ、吸収体１４の吸収能力の低下を防止することができるので好ましい。
【００４３】
また、本発明で使用される水溶性繊維２３は、３０分後（次の排泄時まで）には溶解していることが好ましいため、水溶性繊維２３の溶解速度は１０ｇ／ｍｉｎ以上であるものが好適である。
【００４４】
非水溶性繊維２４としては、綿状パルプ等の公知の種々のものを使用することができる。
【００４５】
高吸水性樹脂２５としては、例えばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等、公知の種々のものを用いることができる。これらの内、吸水力及び吸収速度に優れるアクリル酸又はアクリル酸塩系のものが好適である。なお、これらの高吸水性樹脂２５は単独で用いても良いが、２種以上を混合して用いても良い。また、これらの高吸水性樹脂２５は、製造プロセスにおいて、架橋密度及び架橋密度勾配を調整することによる吸水力及び吸収速度の調整が可能である。
【００４６】
なお、本吸収体には、消臭剤や殺菌剤等を使用目的やニーズに応じ適宜混入しても良く、また、この消臭剤や殺菌剤としては、公知の種々のものを使用することができる。
【００４７】
また、使用前における本吸収体１４の厚みＴ１は、１５ｍｍ以下であることが好ましい。厚みＴ１が１５ｍｍより厚くなると、紙おむつ１０の薄型化の実現が難しく、嵩張るので、紙おむつ１０をコンパクトに折り畳むことができず、持ち運びの便宜や、物流の効率化が阻害される。
【００４８】
図４は、排泄があった直後の吸収体１４の幅方向の断面図である。図示するように、体液が吸収体１４に吸収されると、高吸水性樹脂２５が体液を吸水して膨潤するため、排泄直後の吸収体１４の厚みＴ２は、排泄前における吸収体１４の厚みＴ１よりも厚くなる、すなわちＴ１＜Ｔ２となる。
【００４９】
一方、水溶性繊維２３は、体液を吸収すると溶解し、この溶解した位置に空隙２６が形成されるので、高吸水性樹脂２５が体液を吸水して膨潤しても、吸収体１４内に一定体積以上の空隙２６が確保される。従って、体液が通過する経路を確保することができるので、体液の拡散性及び吸収速度が低下することがなく、吸収体１４の吸収能力の低下を防止することができる。
【００５０】
また、吸収体１４内に一定体積以上の空隙２６を確保することができるため、高吸水性樹脂２５が膨潤しても、体液の通過する経路を確保することができ、ゲルブロックを防止することができる。
【００５１】
図５は、排泄から一定時間が経過した後の吸収体１４の幅方向の断面図である。図示するように、吸収体１４は、排泄から一定時間が経過すると、水溶性繊維２３が溶解した位置に形成された空隙２６が装着者の体圧により押し潰されてなくなる。従って、図５に示される吸収体１４は、水溶性繊維２３が溶解して形成される空隙２６の体積分、図４に示す吸収体１４よりも体積が少なくなるため、排泄から一定時間が経過した後の吸収体１４の厚みＴ３は、図４に示す吸収体１４の厚みＴ２よりも薄くなる、すなわちＴ２＞Ｔ３となる。
【００５２】
なお、排泄から一定時間が経過した後の吸収体１４の厚みＴ３は、２．０６８×１０３Ｐａの加圧後において、２０ｍｍ以下であることが好ましい。加圧後の吸収体１４の厚みＴ３が２０ｍｍ以下であると、排泄があっても、紙おむつ１０の装着時の見た目がスッキリし、見栄えが良くなる。また、使用済みの紙おむつ１０の廃棄時、紙おむつ１０をコンパクトに折り畳むことができるので、ゴミが大きくならず、嵩張らなくなる。従って、使用済みの紙おむつ１０の廃棄数量が多い所であっても、使用済みの紙おむつの保管スペースを従来よりも小さくすることができる。
【００５３】
なお、本吸収体１４は、加圧時における体液吸収量が３ｇ／ｃｍ２以下であることが好ましい。
【００５４】
また、本吸収体１４の各構成要素２３，２４，２５の配合率は、水溶性繊維２３が２０％以上１００％未満、非水溶性繊維２４が８０％以下、残りが高吸水性樹脂２５であることが好ましい。
【００５５】
水溶性繊維２３の配合率が２０％未満であると、水溶性繊維２３が溶解して形成される空隙２６の体積が一定の大きさ以上にならず、排泄から一定時間が経過した後の吸収体１４の厚みＴ３を所望とする厚さまで薄くすることができない。また、水溶性繊維２３が溶解して形成される空隙２６の体積を一定の大きさ以上とすることができないため、高吸水性樹脂２５が吸水して膨潤した場合に、高吸水性樹脂同士の接触を避けることができず、吸収体１４の吸収能力を低下させてしまう。
【００５６】
また、非水溶性繊維２４の配合率が８０％より高くなると、必然的に水溶性繊維２３の配合率が低くなるため、上述したように排泄から一定時間が経過した後の吸収体１４の厚みＴ３を所望とする厚さまで薄くすることができない。
【００５７】
また、高吸水性樹脂２５は、目付が４００ｇ／ｍ２以下となるように配合されている。高吸水性樹脂２５の目付が４００ｇ／ｍ２を超えると、吸収体１４に配合される高吸水性樹脂２５の量が多くなるため、吸収体１４の体液保持性を向上させることができる反面、高吸水性樹脂２５は体液を吸水すると膨潤するため、排泄後の吸収体１４の厚みＴ２あるいはＴ３が厚くなりすぎ、嵩張ってしまう。従って、装着時において見た目がスッキリせず、見栄えが悪くなり、また使用済みの紙おむつ１０の廃棄時においても嵩張ってしまい、コンパクトに折り畳むことができず、ゴミを小さくすることができない。
【００５８】
また、高吸水性樹脂２５は、ある程度湿潤した状態でないと吸水力を発揮できないため、初期吸収速度（高吸水性樹脂２５がある程度湿潤するまでの吸収速度）が遅い。このため、吸収体１４に到達した体液は、先ず高吸水性樹脂２５と比べると初期吸収速度が著しく速い水溶性繊維２３や非水溶性繊維２４に吸収され、次いで水溶性繊維２３や非水溶性繊維２４に吸収されず、吸収体１４内に保水した体液が高吸水性樹脂２５に移行する。このため、高吸水性樹脂２５の配合量が多くなると、必然的に水溶性繊維２３及び非水溶性繊維２４の配合率が低くなるので、初期に吸収される体液の量が減少する。この結果、水溶性繊維２３や非水溶性繊維２４に吸収されず、吸収体１４内に保水した体液がトップシート１１上に逆戻りしたり、トップシート１１上に保水するので好ましくない。
【００５９】
また、吸収体１４に配合される高吸水性樹脂２５の配合量が多くなると、吸収体１４内を移動する高吸水性樹脂２５の量が多くなり、吸収体１４に体液の局部吸収が生じ、吸収能力が低下するので好ましくない。
【００６０】
さらにまた、吸収体１４に配合される高吸水性樹脂２５の配合量が多くなると、ざらつきが生じ、着用者に不快感を与えてしまうので好ましくない。
【００６１】
また、本吸収体１４は、その平面積が５０ｃｍ２以上であることが体液の吸収能力及び体液保持性の観点から好ましい。
【００６２】
なお、本紙おむつ１０の吸収体１４の平面積と、吸収体１４の各構成要素２３，２４，２５の配合率との好ましい関係は以下の通りである。
【００６３】
すなわち、吸収体１４の平面積が５０ｃｍ２以上３００ｃｍ２未満であるときは、吸収体１４の各構成要素の配合率は、水溶性繊維２３が３０〜５０％、非水溶性繊維２４が２０％、残りが高吸水性樹脂２５であることが好ましい。また、吸収体１４の平面積が３００ｃｍ２以上６００ｃｍ２未満であるときは、吸収体１４の各構成要素の配合率は、水溶性繊維２３が２０〜４０％、非水溶性繊維２４が２０％、残りが高吸水性樹脂２５であることが好ましい。さらにまた、吸収体１４の平面積が６００ｃｍ２以上であるときは、吸収体１４の各構成要素の配合率は、水溶性繊維２３が２０〜３０％、非水溶性繊維２４が２０％、残りが高吸水性樹脂２５であることが好ましい。このような関係を有すると、使用前における紙おむつ１０の薄型化及びコンパクト化を実現することができると共に、使用済みの紙おむつ１０の廃棄時においても嵩張らず、コンパクトに折り畳むことができるので、ゴミが小さくなり、また装着時においても見た目がスッキリし、見栄えが良くなる。
【００６４】
以上、本発明に係る紙おむつ１０に使用される吸収体１４について、高吸水性樹脂２５が配合されている吸収体１４について説明してきたが、本発明は、高吸水性樹脂２５が配合されていない吸収体についても適用することができる。
【００６５】
図６は、上述した本発明の第１実施形態の変更例に係る吸収体１４Ａを示すものである。なお、本吸収体１４Ａは、高吸水性樹脂２５が配合されていないことを除くその他の構成は、上述した吸収体１４と実質的に同一であるので、以下では同一の構成要素には同一の符号を付して説明する。
【００６６】
図６（ａ）は、使用前の吸収体１４Ａの幅方向の断面図である。図示するように、本吸収体１４Ａは水溶性繊維２３及び非水溶性繊維２４により構成されている。なお本吸収体１４Ａにも消臭剤や殺菌剤等が混入されていても良い。
【００６７】
また、使用前における吸収体１４Ａの厚みＴ１は、前述した吸収体１４と同様に、１５ｍｍ以下であることが好ましい。
【００６８】
図６（ｂ）は、排泄があった直後の吸収体１４Ａの幅方向の断面図である。図示するように、体液が吸収体１４Ａに吸収されると、水溶性繊維２３が溶解し、この溶解した位置に空隙２６が形成される。なお、本吸収体１４Ａには、高吸水性樹脂２５が配合されていないので、排泄があった直後の吸収体１４Ａの厚みＴ２は使用前の吸収体１４Ａの厚みＴ１と変わらない、すなわちＴ１＝Ｔ２である。
【００６９】
図６（ｃ）は、排泄から一定時間が経過した後の吸収体１４Ａの幅方向の断面図である。図示するように、本吸収体１４Ａも、水溶性繊維２３が溶解した位置に形成された空隙２６は、装着者の体圧により押し潰されてなくなる。
【００７０】
従って、吸収体１４Ａも、上述した吸収体１４と同様に、水溶性繊維２３が溶解して形成される空隙２６の体積分、図６（ａ）及び図６（ｂ）に示す吸収体１４Ａよりも体積が小さくなるため、排泄から一定時間が経過した後の吸収体１４Ａの厚みＴ３は、図６（ａ）及び図６（ｂ）に示す吸収体の厚みＴ１及びＴ２よりも薄くなる、すなわちＴ１＝Ｔ２＞Ｔ３となる。
【００７１】
従って、高吸水性樹脂２５が配合されていない吸収体１４Ａであっても、使用前における紙おむつ１０の薄型化及びコンパクト化を実現することができ、また排泄があっても吸収体１４Ａの厚みが増すことがなく、嵩張ることがないので、装着時において見た目がスッキリし、見栄えが良くなる。また、使用済みの紙おむつ１０の廃棄時においても嵩張らず、コンパクトに折り畳むことができるので、ゴミを小さくすることができる。
【００７２】
図７は、本発明の第１実施形態の他の変更例に係る吸収体１４Ｂ（使用前）を示すもので、図７（ａ）は、本吸収体１４Ｂの幅方向の断面図であり、図７（ｂ）は、本吸収体１４Ｂの上面図である。なお、本吸収体１４Ｂは、その厚み方向及び長手方向における水溶性繊維２３の配合率を除くその他の構成は、上述した吸収体１４，１４Ａと実質的に同一であるので、以下では同一の構成要素には同一の符号を付して説明する。
【００７３】
本吸収体１４Ｂは、図７（ａ）に示すように、吸収体１４Ｂの肌当接面側（トップシート１１側）の水溶性繊維２３の配合率を高くし、外面側（バックシート１２側）に行く程、水溶性繊維２３の配合率を低くしている。このように体液が通過していく順に水溶性繊維２３の配合率を低くすると、吸収体１４Ｂの吸収能力を向上させることができるので好ましい。
【００７４】
この場合において、例えば吸収体１４Ｂを厚み方向に表層部（トップシート１１側の層）２７と、中層部２８と、下層部（バックシート１２側の層）２９との３つに分けた場合、水溶性繊維２３は、表層部２７に４０％以上７０％以下、中層部２８に３０％以上６０％以下、下層部２９に０％以上３０％以下の割合で配合されていることが好ましい。このように水溶性繊維２３の配合率を表層部２７＞中層部２８＞下層部２９とする、すなわち体液が通過していく順に水溶性繊維２３の配合率を低くすると、吸収体１４Ｂの吸収能力を向上させることができる。
【００７５】
また、本吸収体１４Ｂは、図７（ｂ）に示すように、長手方向における中央部の水溶性繊維２３の配合率を高くしている。このように水溶性繊維２３を配合すると、排泄が集中する位置近傍に水溶性繊維２３が多く配合されるので、吸収体１４Ｂの吸収能力をより向上させることができる。
【００７６】
この場合において、例えば吸収体１４Ｂを長手方向にＡ領域と、Ｂ領域と、Ｃ領域との３つに分けた場合、水溶性繊維２３は、Ａ領域に０％以上３０％以下、Ｂ領域に４０％以上１００％以下、Ｃ領域に０％以上３０％以下の割合で配合されていること、すなわち吸収体１４Ｂの長手方向における中央部が４０％以上１００％以下、両端部に０％以上３０％以下の割合で配合されていることが好ましい。このように吸収体１４の長手方向における中央部、すなわち排尿口に相当する位置近傍に水溶性繊維２３がより多く配合されると、排泄が集中する位置に水溶性繊維２３が多く配合されることとなるので、吸収体１４Ｂの吸収能力をより向上させることができる。
【００７７】
従って、上述したような吸収体１４Ｂは、排泄があっても、厚みＴ３を薄くすることができるので嵩張ることがなく、さらに吸収能力をより向上させることができる。
【００７８】
図８は、本発明の第１実施形態のさらに別の変更例に係る吸収体１４Ｃ（使用前）を示すもので、図８（ａ）は、本吸収体１４Ｃの幅方向の断面図であり、図８（ｂ）は、本吸収体１４Ｃの上面図である。なお、本吸収体１４Ｃは、水溶性繊維２３の長手方向における配合率を除くその他の構成は、上述した吸収体１４と実質的に同一であるので、以下では同一の構成要素には同一の符号を付して説明する。
【００７９】
本吸収体１４Ｃは、図８（ａ）に示すように、厚み方向においては水溶性繊維２３が均一に配合されている、すなわち吸収体１４Ｃの表層部２７、中層部２８、及び下層部２９の各層に水溶性繊維２３が同じ配合率で配合されている。
【００８０】
また、吸収体１４Ｃは、図８（ｂ）に示すように、長手方向の中央部（Ｂ領域）の水溶性繊維２３の配合率を高くしている。このように水溶性繊維２３を配合すると、排泄が集中する位置近傍に水溶性繊維２３が多く配合されるので、吸収体１４Ｃの吸収能力を向上させることができる。なお、この場合においても、水溶性繊維２３は、Ａ領域に０％以上３０％以下、Ｂ領域に４０％以上１００％以下、Ｃ領域に０％以上３０％以下の割合で配合されていることが好ましい。
【００８１】
このような吸収体１４Ｃであっても、排泄があった場合に、厚みＴ３を薄くすることができるので嵩張ることがなく、また吸収体１４Ｃの吸収能力を向上させることができる。
【００８２】
図９は、本発明の第１実施形態のさらに別の変更例に係る吸収体１４Ｄ（使用前）を示すもので、図９（ａ）は、本吸収体１４Ｄの幅方向の断面図であり、図９（ｂ）は本吸収体１４Ｄの上面図である。なお、本吸収体１４Ｄは、水溶性繊維２３の厚み方向における配合率を除くその他の構成は、上述した吸収体１４と実質的に同一であるので、以下では同一の構成要素には同一の符号を付して説明する。
【００８３】
本吸収体１４Ｄは、図９（ａ）に示すように、吸収体１４Ｄのトップシート１１側の水溶性繊維２３の配合率を高くし、バックシート１２側に行く程、水溶性繊維２３の配合率を低くしている。このように体液が通過していく順に水溶性繊維２３の配合率を低くすると吸収体１４Ｄの吸収能力を向上させることができる。なお、この場合においても、水溶性繊維２３は、吸収体１４Ｄの表層部２７に４０％以上７０％以下、中層部２８に３０％以上６０％以下、下層部２９に０％以上３０％以下の割合で配合されていることが好ましい。
【００８４】
また、吸収体１４Ｄは、図９（ｂ）に示すように、長手方向においては水溶性繊維２３が均一に配合されている。すなわち、吸収体１４ＤのＡ領域、Ｂ領域、及びＣ領域の各領域に、水溶性繊維２３が同じ割合で配合されている。
【００８５】
このような吸収体１４Ｄであっても、排泄があった場合に、厚みＴ３を薄くすることができるので嵩張ることがなく、また吸収体１４Ｄの吸収能力を向上させることができる。
【００８６】
以上、本発明に係る吸収性物品を一実施形態に基づき説明したが、本発明に係る吸収性物品はその構成を以下のように変更することができる。
【００８７】
図１０は、本発明の第２実施形態に係る紙おむつ１０′（図示せず）に使用される吸収体１４′（使用前）を示したもので、図１０（ａ）は本吸収体１４′の幅方向の断面図であり、図１０（ｂ）は本吸収体１４′の上面図である。
【００８８】
図１０に示すように、本吸収体１４′は非水溶性繊維２４により構成されており、また吸収体１４′の内部には、１枚のウェブ状のシート３０が間欠的に配設されている。
【００８９】
ウェブ状のシート３０とは、ポリエチレン、ポリプロピレン、ポリエステル等の合成繊維を主体とする不織布で、本発明で使用されるウェブ状のシート３０には水溶性繊維３１が配合されている。なお、水溶性繊維３１としては、上述した吸収体１４に配合される水溶性繊維２３と同様に、溶解速度が１０ｇ／ｍｉｎ以上のもので、公知の種々のものを使用することができる。
【００９０】
また、ウェブ状のシート３０の形成材料としては、水溶性繊維３１の他に、例えばコットン、羊毛、麻等の天然繊維や、レーヨン、キュプラ等の再生繊維等、公知の種々の繊維が含まれていても良い。
【００９１】
このように水溶性繊維３１が配合されているウェブ状のシート３０を吸収体１４′の内部に間欠的に設けると、体液が吸収体１４′に到達し、ウェブ状のシート３０に吸収されると、水溶性繊維３１が溶解する。従って、水溶性繊維３１が溶解した分だけウェブ状のシート３０の体積が小さくなるため、吸収体１４′の厚みを薄くすることができるので、排尿後の紙おむつ１０′の厚みを薄くすることができ、嵩張ることがなくなる。
【００９２】
また、このようにウェブ状のシート３０が吸収体１４′の内部に設けられると、体液の拡散性が向上し、吸収体１４′の局部吸収を防止することができるので、吸収体１４′の吸収能力を向上させることができる。
【００９３】
さらにまた、使用前における本吸収体１４′の厚みＴ１も１５ｍｍ以下であることが、紙おむつ１０′の薄型化を実現し、持ち運びの便宜や物流の効率化の観点から好ましい。
【００９４】
なお、このウェブ状のシート３０は、図示するように、吸収体１４′の内部に１枚配設されている場合に限らず、複数枚配設されていても良い。また、吸収体１４′の内部に配設されていれば、その配設位置は特に限定されるものではない。
【００９５】
以上、本実施形態に係る紙おむつに使用される吸収体１４′が非水溶性繊維２４から構成されている吸収体である場合について説明してきたが、本実施形態に係る吸収体１４′は、この他、水溶性繊維２３及び／又は高吸水性樹脂２５が配合されている吸収体、すなわち非水溶性繊維２４と高吸水性樹脂２５とにより構成されている吸収体（図示せず）や、上述した第１実施形態に係り、図３に示すような水溶性繊維２３と、非水溶性繊維２４と、高吸水性樹脂２５とにより構成されている吸収体１４や、図６に示すような水溶性繊維２３と、非水溶性繊維２４とにより構成されている吸収体１４Ａ等、公知の種々の吸収体についても適用することができる。すなわち、吸収体の内部に、上述したような水溶性繊維３１が配合されているウェブ状のシート３０を、少なくとも１枚、間欠的に配設することによって、本願発明の所望とする効果を得ることができる。
【００９６】
なお、吸収体１４′として、水溶性繊維２３が配合されている吸収体、すなわち第１実施形態に係る吸収体１４等を本実施形態に適用する場合、ウェブ状のシート３０に使用されている水溶性繊維３１の配合量は、吸収体１４′に使用されている水溶性繊維２３の配合量には含まない。
【００９７】
また、水溶性繊維２３が配合されている吸収体を使用する場合には、上述した第１実施形態と同様に、水溶性繊維２３が２０％以上１００％未満配合されていることが好ましい。
【００９８】
また、水溶性繊維２３が配合されている吸収体を使用するときは、吸収体を厚み方向に表層部２７と、中層部２８と、下層部２９との３つに分けた場合に、表層部２７に４０％以上７０％以下、中層部２８に３０％以上６０％以下、下層部２９に０％以上３０％以下配合されていることが好ましい。
【００９９】
さらにまた、水溶性繊維２３は、吸収体の長手方向における中央部に４０％以上１００％以下、両端部のそれぞれに０％以上３０％以下配合されていることが好ましい。
【０１００】
また、本発明に係る紙おむつは、その構成を次のように変更することもできる。
【０１０１】
図１１は、本発明の第３実施形態に係る紙おむつ１０′′の幅方向の断面図であり、図１２は、図１１に用いられる使用前の吸収体及びウェブ状のシートの幅方向の断面図である。
【０１０２】
すなわち、図示するように、本紙おむつ１０′′は、肌当接面側より順にトップシート１１と、セカンドシート１６と、ウェブ状のシート３２と、非水溶性繊維２４により構成されている吸収体１４′′と、ウェブ状のシート３２と、防水フィルム１７と、バックシート１２とによりおむつ本体１５が構成されている。なお、セカンドシート１６及び防水フィルム１７は適宜省略しても良い。
【０１０３】
ウェブ状のシート３２には、溶解速度が１０ｇ／ｍｉｎ以上である水溶性繊維３３が配合されており、上述した第２実施形態で使用されるウェブ状のシート３０と同様に形成される。従って、吸収体１４′′の肌当接面側及び下面側にウェブ状のシート３２が設けられると、排泄があり、体液がウェブ状のシート３２に到達すると、水溶性繊維３３が溶解する。従って、水溶性繊維３３が溶解した分だけウェブ状のシート３２の体積が小さくなるため、排尿後の紙おむつ１０′′の厚みを薄くすることができ、嵩張ることがなくなる。
【０１０４】
また、このように吸収体１４の肌当接面側及び下面側にウェブ状のシート３２が設けられると、体液がウェブ状のシート３２によってある程度拡散されるため、吸収体１４′′の上面全体で体液を吸収することができるようになり、吸収体１４′′の吸収能力が向上する。同様に、吸収体１４′′の下面側にウェブ状のシート３２を設けることによって、吸収体１４の体液拡散性がより向上するので好ましい。
【０１０５】
なお、このウェブ状のシート３２は、必ずしも吸収体１４′′の肌当接面側及び下面側に配設されている必要はなく、吸収体１４′′の少なくとも肌当接面側又は下面側のいずれかに配設されていれば良い。
【０１０６】
以上、本実施形態に係る紙おむつ１０′′に使用される吸収体１４′′が非水溶性繊維２４から構成されている吸収体である場合について説明してきたが、本実施形態に係る吸収体は、特に限定されるものではないので、この他、水溶性繊維２３及び／又は高吸水性樹脂２５が配合されている吸収体、すなわち非水溶性繊維２４と高吸水性樹脂２５とにより構成されている吸収体（図示せず）や、上述した第１実施形態に係り、図３に示すような水溶性繊維２３と、非水溶性繊維２４と、高吸水性樹脂２５とにより構成されている吸収体１４等、公知の種々の吸収体についても適用することができる。
【０１０７】
すなわち、水溶性繊維３３が配合されているウェブ状のシート３２が、吸収体の肌当接面側及び／又は下面側に設けられていれば、排泄があった場合に、紙おむつ１０′′の厚みを薄くすることができ、嵩張ることがなくなる。特に、吸収体１４′として、上述した第１実施形態に係るような水溶性繊維２３が配合されている吸収体が使用されると、排泄があった後の紙おむつ１０′′の厚みをより薄くすることができ、嵩張らなくなる。
【０１０８】
また、水溶性繊維２３が配合されている吸収体、すなわち第１実施形態に係る吸収体１４等を本実施形態に適用する場合、ウェブ状のシート３２に使用されている水溶性繊維３３の配合量は、吸収体に使用されている水溶性繊維２３の配合量には含まない。
【０１０９】
なお、使用前における吸収体１４′′の厚みＴ１は１５ｍｍ以下であることが好ましい。
【０１１０】
さらにまた、本発明に係る紙おむつは、その構成を次のように変更することもできる。
【０１１１】
図１３は、本発明の第４実施形態に係る紙おむつに用いられる使用前の吸収体及びウェブ状のシートの幅方向の断面図である。
【０１１２】
図示するように、本実施形態に係る紙おむつ１０′′′（図示せず）には、吸収体１４′′′として、第２実施形態に係る吸収体１４′、すなわち吸収体の内部に少なくとも１枚のウェブ状のシート３０が間欠的に設けられている吸収体を使用し、その肌当接面側及び下面側にウェブ状のシート３２が設けられている。
【０１１３】
なお、ウェブ状のシート３０，３２のそれぞれには、水溶性繊維３１，３３が配合されており、上述した第２実施形態及び第３実施形態に係るウェブ状のシート３０，３２と同様に形成することができる。
【０１１４】
このように第２実施形態に係る吸収体１４′の肌当接面側及び下面側に水溶性繊維３３が配合されたウェブ状のシート３２が設けられると、排泄があった場合、体液は、先ずウェブ状のシート３２に到達し、水溶性繊維３３が溶解する。次いで体液は、吸収体１４′′′に到達し、その内部に配設されたウェブ状のシート３０に到達し、水溶性繊維３１が溶解する。従って、水溶性繊維３１，３３が溶解した分だけウェブ状のシート３０，３２の体積が小さくなるため、排尿後の紙おむつ１０′′′の厚みをより薄くすることができ、嵩張らなくなると共に、吸収体１４′′′の吸収能力を向上させることができる。
【０１１５】
なお、吸収体１４′′′として、水溶性繊維２３が配合されている吸収体の内部に水溶性繊維３１が配合されているウェブ状のシート３０が間欠的に配設されている吸収体が使用されると、排尿後の紙おむつ１０′′′の厚みをより一層薄くすることができ、嵩張らなくなる。
【０１１６】
なお、このウェブ状のシート３２は、必ずしも吸収体１４′′′の肌当接面側及び下面側に配設されている必要はなく、吸収体１４′′′の少なくとも肌当接面側又は下面側のいずれかに配設されていれば良い。
【０１１７】
以上、本発明に係る吸収性物品について、吸収性物品が紙おむつである場合を例に説明してきたが、本発明はこの他、生理用ナプキンについても適用することができる。
【０１１８】
吸収性物品が生理用ナプキンである場合における吸収体の平面積と、吸収体の各構成要素（水溶性繊維、非水溶性繊維、高吸水性樹脂）の配合率との好ましい関係は以下の通りである。なお、吸収体の平面積と、吸収体の各構成要素の配合率との関係を除くその他の構成は、上述した紙おむつと実質的に同一であるので、以下では同一の構成要素には、同一の符号を付して説明する。
【０１１９】
すなわち、吸収体１４の平面積が５０ｃｍ２以上１００ｃｍ２未満であるときは、吸収体１４の各構成要素の配合率は、水溶性繊維２３が６０〜８０％、非水溶性繊維２４が４０〜２０％、残りが高吸水性樹脂２５であることが好ましい。また、吸収体１４の平面積が１００ｃｍ２以上２００ｃｍ２未満であるときは、吸収体１４の各構成要素の配合率は、水溶性繊維２３が５０〜７０％、非水溶性繊維２４が５０〜３０％、残りが高吸水性樹脂２５であることが好ましい。さらにまた、吸収体１４の平面積が２００ｃｍ２以上であるときは、吸収体１４の各構成要素の配合率は、水溶性繊維２３が４０〜６０％、非水溶性繊維２４が６０〜４０％、残りが高吸水性樹脂２５であることが好ましい。
【０１２０】
なお、吸収性物品が生理用ナプキンである場合、紙おむつと比べて、排泄後の吸収体の厚みが薄くて嵩張らず、また装着時において見た目がスッキリし、見栄えが良いことが特に求められているため、高吸水性樹脂の配合率は１％以下であることが好ましい。このように生理用ナプキンに使用される吸収体には、水溶性繊維の配合率が高く、高吸水性樹脂の配合率が低いので、生理用ナプキンの吸収体の厚みは、上述した紙おむつのように必ずしもＴ２＞Ｔ３＞Ｔ１になるとは限らず、Ｔ２＞Ｔ１＞Ｔ３となる場合もある。
【産業上の利用可能性】
【０１２１】
本発明は、上述したようなテープ式の使い捨て紙おむつに限らず、この他、例えばパンツ型の使い捨て紙おむつ、尿取りパッド、使い捨て水着、失禁者用パッド等、公知の種々の吸収性物品に適用することができる。
【図面の簡単な説明】
【０１２２】
【図１】本発明に係るテープ式紙おむつの展開上面図である。
【図２】図１のＸ−Ｘ断面図である。
【図３】本発明の第１実施形態に係る使用前の吸収体の幅方向の断面図である。
【図４】本発明の第１実施形態に係る排泄直後の吸収体の幅方向の断面図である。
【図５】本発明の第１実施形態に係る排泄から一定時間が経過した後の吸収体の幅方向の断面図である。
【図６】本発明の第１実施形態の変更例に係る吸収体を示す図である。
【図７】本発明の第１実施形態の他の変更例に係る吸収体を示す図である。
【図８】本発明の第１実施形態のさらに別の変更例に係る吸収体を示す図である。
【図９】本発明の第１実施形態のさらに別の変更例に係る吸収体を示す図である。
【図１０】本発明の第２実施形態に係る吸収性物品に使用される吸収体を示す図である。
【図１１】本発明の第３実施形態に係る吸収性物品の幅方向の断面図である。
【図１２】本発明の第３実施形態に係る吸収性物品に使用される吸収体の幅方向の断面図である。
【図１３】本発明の第４実施形態に係る吸収性物品に使用される吸収体及びウェブ状のシートの幅方向の断面図である。
【符号の説明】
【０１２３】
１０                              紙おむつ
１４，１４′，１４′′，１４′′′  吸収体
２３，３１，３３                    水溶性繊維
２４                                非水溶性繊維
２５                                高吸水性樹脂
２６                                空隙
２７                                表層部
２８                                中層部
２９                                下層部
３０，３２                          ウェブ状のシート
Ｔ１，Ｔ２，Ｔ３                    吸収体の厚み
【図１】
2006110058.tif 000003
【図２】
2006110058.tif 000004
【図３】
2006110058.tif 000005
【図４】
2006110058.tif 000006
【図５】
2006110058.tif 000007
【図６】
2006110058.tif 000008
【図７】
2006110058.tif 000009
【図８】
2006110058.tif 000010
【図９】
2006110058.tif 000011
【図１０】
2006110058.tif 000012
【図１１】
2006110058.tif 000013
【図１２】
2006110058.tif 000014
【図１３】
2006110058.tif 000015